【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
複数の装置から、ユーザと物理オブジェクトとの相互作用を記述する分析データを受信し、前記分析データは、ユーザと前記物理オブジェクトとが相互作用をしているときの、前記複数の装置の光学センサーに指向された前記物理オブジェクト上の位置と、前記物理オブジェクト上の位置に前記光学センサーが向けられた継続時間と、を示す姿勢データを含み、  前記分析データに基づいて、前記複数の装置のユーザが前記物理オブジェクトの前記位置を見た頻度を決定し、  コンピュータプロセッサによって、前記物理オブジェクトのための可視化コンテンツデータセットを生成し、前記可視化コンテンツデータセットは、物理オブジェクトのイメージのセットを含み、物理オブジェクトの各イメージと関連づけられる分析仮想オブジェクトモデルと対応し、各イメージに対応する前記分析仮想オブジェクトモデルは、前記複数の装置のユーザが、前記イメージ内でキャプチャーされた前記物理オブジェクトの前記位置を見た頻度を示し、  前記物理オブジェクトのための前記可視化コンテンツデータセットを、少なくとも第１の装置に送信し、前記第１の装置は、前記第１の装置の光学センサーによってキャプチャーされた前記物理オブジェクトのライブイメージ上に、ヒートマップをレンダリングするための前記可視化コンテンツデータセットを使用し、前記ヒートマップは、前記複数の装置のユーザが前記ライブイメージ内にキャプチャーされた前記物理オブジェクトの位置を見た前記頻度を示す、コンピュータ実装方法。
【請求項２】
前記物理オブジェクトの各イメージについて、前記複数の装置のユーザが、前記イメージ内にキャプチャーされた前記物理オブジェクトの位置を見た前記頻度を示す前記分析仮想オブジェクトモデルを生成することを、さらに含む、請求項１に記載のコンピュータ実装方法。
【請求項３】
前記物理オブジェクトに対する装置の姿勢推定、前記物理オブジェクトに対する前記装置の姿勢持続期間、前記物理オブジェクトに対する前記装置の姿勢方位、及び前記物理オブジェクトに対する前記装置の姿勢相互作用を決定することをさらに含む、請求項１に記載のコンピュータ実装方法。
【請求項４】
前記姿勢推定は、前記装置が狙いをつける前記物理オブジェクト上の位置を含み、  前記姿勢持続期間は、１つの時間持続期間を含み、この時間持続期間の中で、前記装置は、前記物理オブジェクト上の同じ位置に狙いをつけ、  前記姿勢方位は、前記物理オブジェクトに狙いをつける前記装置の方位を含み、及び、  前記姿勢相互作用は、前記物理オブジェクトに対する前記装置の前記ユーザの相互作用を含む、請求項３に記載のコンピュータ実装方法。
【請求項５】
複数の装置からの前記姿勢推定、前記姿勢持続期間、前記姿勢方位、及び、前記姿勢相互作用に基づいて、複数の装置に対する前記可視化コンテンツデータセットを生成することをさらに含む、請求項４に記載のコンピュータ実装方法。
【請求項６】
１つの装置からの前記姿勢推定、前記姿勢持続期間、前記姿勢方位、及び、前記姿勢相互作用に基づいて、前記装置に対する前記可視化コンテンツデータセットを生成することをさらに含む、請求項４に記載のコンピュータ実装方法。
【請求項７】
１次コンテンツデータセット及び文脈的コンテンツデータセットを格納することをさらに含み、  前記１次コンテンツデータセットは、第１セットの装置及び対応する分析仮想オブジェクトモデルを含み、  前記文脈的コンテンツデータセットは、第２セットの装置及び対応する分析仮想オブジェクトモデルを含む、請求項１に記載のコンピュータ実装方法。
【請求項８】
装置から受信され取り込まれた前記イメージが、前記１次コンテンツデータセット内で認識されないことを決定し、  前記装置に対して前記文脈的コンテンツデータセットを生成することをさらに含む、請求項７に記載のコンピュータ実装方法。
【請求項９】
前記分析データは前記装置の使用条件を含み、前記装置の前記使用条件は、前記装置のユーザのソーシャル情報、前記装置の位置使用情報及び時間情報を含む、請求項１に記載のコンピュータ実装方法。
【請求項１０】
命令を格納する非一時的なコンピュータ可読媒体であって、マシンの１つ以上のプロセッサによって実行される場合に、前記マシンによって、  複数の装置から、ユーザと物理オブジェクトとの相互作用を記述する分析データを受信し、前記分析データは、ユーザと前記物理オブジェクトとが相互作用をしているときの、前記複数の装置の光学センサーに指向された前記物理オブジェクト上の位置と、前記物理オブジェクト上の位置に前記光学センサーが向けられた継続時間と、を示す姿勢データを含み、  前記分析データに基づいて、前記複数の装置のユーザが前記物理オブジェクトの前記位置を見た頻度を決定し、  前記物理オブジェクトのための可視化コンテンツデータセットを生成し、前記可視化コンテンツデータセットは、物理オブジェクトのイメージのセットを含み、物理オブジェクトの各イメージと関連づけられる分析仮想オブジェクトモデルと対応し、各イメージに対応する前記分析仮想オブジェクトモデルは、前記複数の装置のユーザが、前記イメージ内でキャプチャーされた前記物理オブジェクトの前記位置を見た頻度を示し、  前記物理オブジェクトのための前記可視化コンテンツデータセットを、少なくとも第１の装置に送信し、前記第１の装置は、前記第１の装置の光学センサーによってキャプチャーされた前記物理オブジェクトのライブイメージ上に、ヒートマップをレンダリングするための前記可視化コンテンツデータセットを使用し、前記ヒートマップは、前記複数の装置のユーザが前記ライブイメージ内にキャプチャーされた前記物理オブジェクトの位置を見た前記頻度を示す、コンピュータ可読媒体。
【請求項１１】
１以上のコンピュータプロセッサと、命令が格納された１以上のコンピュータ可読媒体とを含むサーバであって、前記１以上のコンピュータプロセッサにより実行される場合に、  複数の装置から、ユーザと物理オブジェクトとの相互作用を記述する分析データを受信し、前記分析データは、ユーザと前記物理オブジェクトとが相互作用をしているときの、前記複数の装置の光学センサーに指向された前記物理オブジェクト上の位置と、前記物理オブジェクト上の位置に前記光学センサーが向けられた継続時間と、を示す姿勢データを含み、  前記分析データに基づいて、前記複数の装置のユーザが前記物理オブジェクトの前記位置を見た頻度を決定し、  前記物理オブジェクトのための可視化コンテンツデータセットを生成し、前記可視化コンテンツデータセットは、物理オブジェクトのイメージのセットを含み、物理オブジェクトの各イメージと関連づけられる分析仮想オブジェクトモデルと対応し、各イメージに対応する前記分析仮想オブジェクトモデルは、前記複数の装置のユーザが、前記イメージ内でキャプチャーされた前記物理オブジェクトの前記位置を見た頻度を示し、  前記物理オブジェクトのための前記可視化コンテンツデータセットを、少なくとも第１の装置に送信し、前記第１の装置は、前記第１の装置の光学センサーによってキャプチャーされた前記物理オブジェクトのライブイメージ上に、ヒートマップをレンダリングするための前記可視化コンテンツデータセットを使用し、前記ヒートマップは、前記複数の装置のユーザが前記ライブイメージ内にキャプチャーされた前記物理オブジェクトの位置を見た前記頻度を示す、サーバ。
【請求項１２】
前記サーバによる前記命令は、  前記物理オブジェクトの各イメージについて、前記複数の装置のユーザが、前記イメージ内にキャプチャーされた前記物理オブジェクトの位置を見た前記頻度を示す前記分析仮想オブジェクトモデルを生成することを、さらに含む、請求項１１に記載のサーバ。
【請求項１３】
前記サーバによる前記命令は、  前記物理オブジェクトに対する装置の姿勢推定、前記物理オブジェクトに対する前記装置の姿勢持続期間、前記物理オブジェクトに対する前記装置の姿勢方位、及び前記物理オブジェクトに対する前記装置の姿勢相互作用を決定することをさらに含む、請求項１１に記載のサーバ。
【請求項１４】
前記姿勢推定は、前記装置が狙いをつける前記物理オブジェクト上の位置を含み、  前記姿勢持続期間は、１つの時間持続期間を含み、この時間持続期間の中で、前記装置は、前記物理オブジェクト上の同じ位置に狙いをつけ、  前記姿勢方位は、前記物理オブジェクトに狙いをつける前記装置の方位を含み、及び、  前記姿勢相互作用は、前記物理オブジェクトに対する前記装置の前記ユーザの相互作用を含む、請求項１３に記載のサーバ。
【請求項１５】
前記サーバによる前記命令は、  複数の装置からの前記姿勢推定、前記姿勢持続期間、前記姿勢方位、及び、前記姿勢相互作用に基づいて、複数の装置に対する前記可視化コンテンツデータセットを生成することをさらに含む、請求項１４に記載のサーバ。
【請求項１６】
前記サーバによる前記命令は、  １つの装置からの前記姿勢推定、前記姿勢持続期間、前記姿勢方位、及び、前記姿勢相互作用に基づいて、前記装置に対する前記可視化コンテンツデータセットを生成することをさらに含む、請求項１４に記載のサーバ。
【請求項１７】
前記サーバによる前記命令は、  １次コンテンツデータセット及び文脈的コンテンツデータセットを格納することをさらに含み、  前記１次コンテンツデータセットは、第１セットの装置及び対応する分析仮想オブジェクトモデルを含み、  前記文脈的コンテンツデータセットは、第２セットの装置及び対応する分析仮想オブジェクトモデルを含む、請求項１１に記載のサーバ。
【請求項１８】
前記サーバによる前記命令は、  装置から受信され取り込まれた前記イメージが、前記１次コンテンツデータセット内で認識されないことを決定し、  前記装置に対して前記文脈的コンテンツデータセットを生成することをさらに含む、請求項１７に記載のサーバ。
【請求項１９】
前記分析データは前記装置の使用条件を含む、請求項１１に記載のサーバ。
【請求項２０】
前記装置の前記使用条件は、前記装置のユーザのソーシャル情報と、前記装置の位置使用情報及び時間情報と、を含む、請求項１９に記載のサーバ。